(57)【特許請求の範囲】
【請求項１】
状態と、センサからの入力信号に関するセンサ条件との関係が定義付けられた状態定義情報を管理する状態管理部と、
前記状態を用いて表現される制御条件の方式を管理する方式管理部と、
センサからの入力信号、および前記状態管理部により管理される状態定義情報に基づいて状態を判定する状態判定部と、
前記方式管理部により管理される制御条件の方式のうちで、前記状態判定部により判定された状態に合致する制御条件の方式に従い外部機器を制御する制御信号を生成する制御信号生成部と、
を備え、
前記状態定義情報においては、同一の状態に対して、複数のセンサからの入力信号に関するセンサ条件が関連付けられ、
前記複数のセンサからの入力信号に関するセンサ条件には優先順位が設定されており、
前記状態判定部は、状態の判定に際し、優先順位が高いセンサ条件に基づく判定を優先する、制御装置。
【請求項２】
前記センサは、前記外部機器に設けられたセンサを含み、
前記制御信号生成部は、前記制御信号による制御結果と前記センサからの入力信号から判定される前記外部機器の状態とが異なる場合に前記制御信号を出力する、請求項１に記載の制御装置。
【請求項３】
前記センサは、前記外部機器外に設けられたセンサを含む、請求項１または２に記載の制御装置。
【請求項４】
前記制御条件の方式は、複数の状態の組合せにより表現される、請求項１〜３のいずれか一項に記載の制御装置。
【請求項５】
前記方式管理部は、さらに、前記制御条件の方式、制御対象機器、および制御内容を関連付けて管理し、
前記制御信号生成部は、前記状態判定部により判定された状態に合致する制御条件の方式に関連付けられた制御対象機器に対する、当該制御条件の方式に関連付けられた制御内容に応じた制御信号を生成する、請求項１〜４のいずれか一項に記載の制御装置。
【請求項６】
前記制御内容は、前記制御対象機器に対する省電力制御に関する制御内容である、請求項５に記載の制御装置。
【請求項７】
前記制御信号生成部により生成された前記制御信号を前記外部機器に出力する制御信号出力部をさらに備える、請求項１〜６のいずれか一項に記載の制御装置。
【請求項８】
コンピュータが、
状態、およびセンサからの入力信号に関するセンサ条件との関係が定義付けられた状態定義情報と、センサからの入力信号に基づいて状態を判定する判定ステップと、
１または２以上の状態を用いて表現される制御条件の方式のうちで、前記判定ステップで判定された状態に合致する制御条件の方式に従い外部機器を制御する制御信号を生成する生成ステップと、
を含み、
前記状態定義情報においては、同一の状態に対して、複数のセンサからの入力信号に関するセンサ条件が関連付けられ、
前記複数のセンサからの入力信号に関するセンサ条件には優先順位が設定されており、
前記判定ステップは、状態の判定に際し、優先順位が高いセンサ条件に基づく判定を優先する、制御方法。
【請求項９】
コンピュータを、
状態と、センサからの入力信号に関するセンサ条件との関係が定義付けられた状態定義情報を管理する状態管理部と、
前記状態を用いて表現される制御条件の方式を管理する方式管理部と、
センサからの入力信号、および前記状態管理部により管理される状態定義情報に基づいて状態を判定する状態判定部と、
前記方式管理部により管理される制御条件の方式のうちで、前記状態判定部により判定された状態に合致する制御条件の方式に従い外部機器を制御する制御信号を生成する制御信号生成部と、
として機能させ、
前記状態定義情報においては、同一の状態に対して、複数のセンサからの入力信号に関するセンサ条件が関連付けられ、
前記複数のセンサからの入力信号に関するセンサ条件には優先順位が設定されており、
前記状態判定部は、状態の判定に際し、優先順位が高いセンサ条件に基づく判定を優先する、プログラム。
【発明の詳細な説明】
【技術分野】
【０００１】
本発明は、制御装置、方法およびプログラムに関する。
【背景技術】
【０００２】
近年、ＯＮ／ＯＦＦに時間や負荷がかかるという理由で待機モードが存在する機器が増えている。しかし、不必要に待機モードにしていると機器に負荷がかかる上に電力や容量などを余分に消費してしまうので、待機モードへの切り換えを誤ると効率よく機器を利用することができない。
【０００３】
ここで、下記特許文献１では、人感センサ、光センサ、およびタイマーなどを組み合わせて待機モードに切り換えることができるコンテンツ再生装置が開示されている。
【０００４】
また、下記特許文献２では、人感センサ、明るさセンサ、時間帯などのメモリを組み合わせて待機モードに切り換える表示装置が開示されている。
【先行技術文献】
【特許文献】
【０００５】
【特許文献１】特開２０１１−１３９１４１号公報
【特許文献２】特開２０１１−１０１０７８号公報
【発明の概要】
【発明が解決しようとする課題】
【０００６】
しかしながら、上記各特許文献では、様々なセンサの検知結果に直接依存して対応する電源制御の内容を設定しているので、センサの種類や性能を変更した場合には、対応する電源制御を決定するための方式を変更しなければならない。
【０００７】
よって、センサの種類や性能を変更した場合に、制御を決定するための方式まで変更する必要がないよう、制御を決定するための方式をセンサと切り離して設定することが所望される。
【０００８】
そこで、本発明は、上記問題に鑑みてなされたものであり、本発明の目的とするところは、センサに直接依存せずに状態に応じて制御を行うことが可能な、新規かつ改良された制御装置、方法およびプログラムを提供することにある。
【課題を解決するための手段】
【０００９】
上記課題を解決するために、本発明のある観点によれば、情報を管理する状態管理部と、前記状態を用いて表現される制御条件の方式を管理する方式管理部と、センサからの入力信号、および前記状態管理部により管理される状態定義情報に基づいて状態を判定する状態判定部と、前記方式管理部により管理される制御条件の方式のうちで、前記状態判定部により判定された状態に合致する制御条件の方式に従い外部機器を制御する制御信号を生成する制御信号生成部と、を備え、前記状態定義情報においては、同一の状態に対して、複数のセンサからの入力信号に関するセンサ条件が関連付けられ、前記複数のセンサからの入力信号に関するセンサ条件には優先順位が設定されており、前記状態判定部は、状態の判定に際し、優先順位が高いセンサ条件に基づく判定を優先する、制御装置が提供される。
【００１０】
また、前記センサは、前記外部機器に設けられたセンサを含み、前記制御信号生成部は、前記制御信号による制御結果と前記センサからの入力信号から判定される前記外部機器の状態とが異なる場合に前記制御信号を出力してもよい。
【００１１】
また、前記センサは、前記外部機器外に設けられたセンサを含んでもよい。
【００１４】
また、前記制御条件の方式は、複数の状態の組合せにより表現されてもよい。
【００１５】
また、前記方式管理部は、さらに、前記制御条件の方式、制御対象機器、および制御内容を関連付けて管理し、前記制御信号生成部は、前記状態判定部により判定された状態に合致する制御条件の方式に関連付けられた制御対象機器に対する、当該制御条件の方式に関連付けられた制御内容に応じた制御信号を生成してもよい。
【００１６】
また、前記制御内容は、前記制御対象機器に対する省電力制御に関する制御内容であってもよい。
【００１７】
また、前記制御信号生成部により生成された前記制御信号を前記外部機器に出力する制御信号出力部をさらに備えてもよい。
【００１８】
また、上記課題を解決するために、本発明の別の観点によれば、コンピュータが、状態、およびセンサからの入力信号に関するセンサ条件との関係が定義付けられた状態定義情報と、センサからの入力信号に基づいて状態を判定する判定ステップと、１または２以上の状態を用いて表現される制御条件の方式のうちで、前記判定ステップで判定された状態に合致する制御条件の方式に従い外部機器を制御する制御信号を生成する生成ステップと、を含み、前記状態定義情報においては、同一の状態に対して、複数のセンサからの入力信号に関するセンサ条件が関連付けられ、前記複数のセンサからの入力信号に関するセンサ条件には優先順位が設定されており、前記判定ステップは、状態の判定に際し、優先順位が高いセンサ条件に基づく判定を優先する、制御方法が提供される。
【００１９】
また、上記課題を解決するために、本発明の別の観点によれば、コンピュータを、状態と、センサからの入力信号に関するセンサ条件との関係が定義付けられた状態定義情報を管理する状態管理部と、前記状態を用いて表現される制御条件の方式を管理する方式管理部と、センサからの入力信号、および前記状態管理部により管理される状態定義情報に基づいて状態を判定する状態判定部と、前記方式管理部により管理される制御条件の方式のうちで、前記状態判定部により判定された状態に合致する制御条件の方式に従い外部機器を制御する制御信号を生成する制御信号生成部と、として機能させ、前記状態定義情報においては、同一の状態に対して、複数のセンサからの入力信号に関するセンサ条件が関連付けられ、前記複数のセンサからの入力信号に関するセンサ条件には優先順位が設定されており、前記状態判定部は、状態の判定に際し、優先順位が高いセンサ条件に基づく判定を優先する、プログラムが提供される。
【発明の効果】
【００２０】
以上説明したように本発明によれば、センサに直接依存せずに状態に応じて制御を行うことが可能である。
【図面の簡単な説明】
【００２１】
【図１】本発明の一実施形態による制御システムの全体構成を示す図である。
【図２】本実施形態による制御装置の構成を示すブロック図である。
【図３】本実施形態による状態判定を説明するための図である。
【図４】本実施形態による制御条件の方式を説明するための図である。
【図５】本実施形態による制御の決定を説明するための図である。
【図６】本実施形態による制御処理を示すフローチャートである。
【発明を実施するための形態】
【００２２】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２３】
＜１．制御システムの概要＞
図１は、本発明の一実施形態による制御システムの全体構成を示す図である。図１に示すように、本実施形態による制御システムは、制御装置１０、複数のセンサ、および複数の制御対象機器（外部機器）を含む。
【００２４】
複数のセンサは、例えば図１に示すように、人感センサ２０、照度センサ２２、および温度センサ２４であってもよい。また、本実施形態に含まれるセンサ数は複数に限らず、単数であってもよい。
【００２５】
複数のセンサの各々は、検知結果（センサ値、検知時刻等）やセンサに関する情報（センサＩＤ、センサ種別、設置位置等）を入力信号として制御装置１０に送信する。
【００２６】
制御装置１０は、入力信号に基づいて状態を判定し、判定した状態に合致する制御方式に応じた制御信号を生成する。なお、制御装置１０の詳細については、＜２．基本構成＞および＜３．動作処理＞において説明する。
【００２７】
また、制御装置１０は、生成した制御信号を、制御対象機器に送信する。複数の制御対象機器は、例えば図１に示すように、パーソナルコンピュータ３０（以下、ＰＣ３０と称す）、テレビジョン３２（以下、ＴＶ３２と称す）、および卓上スタンド３４であってもよい。また、本実施形態に含まれる制御対象機器数は複数に限らず、単数であってもよい。複数の制御対象機器の各々は、制御装置１０から送信された制御信号に従った制御を行う。
【００２８】
ここで、上述したように、様々なセンサからの検知結果に直接依存して対応する制御を決定する装置の場合、センサが他の種別のセンサに変更されると、対応する制御を決定するための方式を変更しなければならず、利用者にとって負担であった。
【００２９】
そこで、上記事情を一着眼点にして本発明の実施形態による制御システムを創作するに至った。本発明の実施形態による制御システムでは、制御装置１０が、各センサからの入力信号（検知結果）に基づいて状態を判定し、判定した状態に合致する制御方式に関連付けられる制御を行う。
【００３０】
このように、本実施形態による制御システムでは、センサに直接依存せず、検知結果に基づいて判定される状態に応じて制御を決定することができる。以下、このような本発明の一実施形態による制御システムに含まれる制御装置１０の基本構成と動作処理について詳細に説明する。
【００３１】
＜２．基本構成＞
図２は、本実施形態による制御装置１０の構成を示すブロック図である。図２に示すように、制御装置１０は、センサ情報入力部１１、状態判定部１２、状態管理部１３、制御信号生成部１４、方式管理部１５、および制御信号出力部１６を有する。以下、各構成について説明する。
【００３２】
［２−１．センサ情報入力部］
センサ情報入力部１１は、各センサから受信したセンサ情報（入力信号）を、状態判定部１２に入力する。ここで、センサ情報とは、検知結果（センサ値、検知時刻等）やセンサに関する情報（センサＩＤ、センサ種別、センサの設置位置等）である。
【００３３】
なお、センサ情報入力部１１にセンサ情報を送信する各センサは、外部機器に設けられたセンサであってもよいし、外部機器外に設けられたセンサであってもよい。
【００３４】
［２−２．センサ判定部］
状態判定部１２は、センサ情報入力部１１から入力されたセンサ情報および状態管理部１３により管理されている状態の定義に基づいて、状態を判定する。本明細書において、状態とは、人、機器および環境等がどうあるかを示すものである。
【００３５】
［２−３．状態管理部］
状態管理部１３は、状態の定義に関する情報を管理する。また、状態の定義は、センサ情報（時刻、場所、センサＩＤ、センサ種別およびセンサ値）の組み合わせにより定義される。このような状態の定義は、予め利用者等により設定されてもよい。また、状態管理部１３は、一つの状態に対してセンサ別の定義を管理してもよい。
【００３６】
ここで、状態管理部１３で管理される状態の定義の一例を図３に示す。図３に示す例では、状態Ａ（人がいない）、状態Ｂ（明るい）、および状態Ｃ（暑い）の各々について、複数の条件が定義されている。
【００３７】
例えば、状態Ａ（人がいない）に対しては、「動きがない」または「音がしない」場合が定義されている。「動きがない」場合とは、具体的には、「センサ種別：人感センサ」および「センサ値：ＦＡＬＳＥ」のセンサ条件が満たされる場合である。
【００３８】
また、「音がしない」場合とは、具体的には、「センサ種別：音圧センサ」および「センサ値：ＦＡＬＳＥ」のセンサ条件が満たされる場合である。
【００３９】
また、状態Ｂ（明るい）に対しては、「照明が点いている」または「照度が高い」場合が定義されている。「照明が点いている」場合とは、具体的には、「センサ種別：電力計」および「センサ値：５０Ｗ以上」のセンサ条件が満たされる場合である。
【００４０】
また、「照度が高い」場合とは、具体的には、「センサ種別：照度センサ」および「センサ値：１５００ｌｘ以上」のセンサ条件が満たされる場合である。
【００４１】
また、状態Ｃ（暑い）に対しては、「温度が高い」場合が複数定義されている。第１の「温度が高い」場合とは、具体的には、「場所：居間」、「センサ種別：温度センサ」および「センサ値：２８度以上」のセンサ条件が満たされる場合である。
【００４２】
また、第２の「温度が高い」場合とは、具体的には、「場所：台所」、「センサ種別：温度センサ」および「センサ値：３２度以上」のセンサ条件が満たされる場合である。
【００４３】
なお、各状態を定義している複数の条件には、図３に示すように１つのフラグがセットされており、フラグがセットされている条件に基づいて状態判定部１２により状態が判定される。例えば、状態Ａの場合、現在フラグがセットされている「動きがない」場合のセンサ条件が満たされれば、状態判定部１２により状態Ａと判定される。
【００４４】
このように、本実施形態によれば、一つの状態に対して予め複数の定義を管理することで、利用するセンサが変更されても、状態判定部１２は、他の定義により状態を判定することができる。
【００４５】
ここで、図３に示す例では、状態の定義毎に１つのフラグをセットしているが、状態管理部１３は、複数のセンサを組み合わせて状態を定義できるように複数のフラグをセットするようにしてもよい。あるいは、フラグには優先順位を付与するだけにしておき、入力のあるセンサに応じて、フラグの優先順位に従って状態判定部１２により自動的に状態判定に利用するセンサ条件を切り換えるようにしてもよい。
【００４６】
例えば、照度センサを利用している間は、電力計（電力センサ）を利用しているかどうかにかかわらず照度センサの値が入力されるので、照度センサのセンサ条件により定義される「照度が高い」場合のセンサ条件が満たされる。一方、利用するセンサを照度センサから電力計（電力センサ）に変更した場合は、照度センサの値は入力されず電力計の値が入力されるので、電力計のセンサ条件により定義される「照明が付いている」場合のセンサ条件が満たされる。
【００４７】
［２−４．方式管理部］
方式管理部１５は、制御の方式に関する情報を管理する。具体的には、方式管理部１５は、制御信号生成部１４が制御条件を作成するための制御の方式を管理している。本明細書において、制御の方式とは、１の状態、または２以上の状態の組み合わせにより表現される。ここで、方式管理部１５で管理される制御条件の方式の一例を図４に示す。
【００４８】
図４に示す例では、状態Ａ（人がいない）および状態Ｂ（明るい）のいずれか、または組み合わせにより表現される方式と、当該方式に合致する状態の場合に作成される制御条件が対応付けられている。
【００４９】
例えば、図４に示す例によれば、状態判定部１２により判定された状態が、「Ａ（人がいない）  ａｎｄ  Ｂ（明るい）」の方式に合致する場合、制御信号生成部１４により「制御条件１（短時間離席時）」が作成される。また、「Ａ（人がいない）  ａｎｄ  ｎｏｔ  Ｂ（明るい）」の方式に合致する場合は、「制御条件２（長時間離席時）」が作成される。
【００５０】
また、「Ａ（人がいない）」の方式に合致する場合は、「制御条件３（離席時）」が作成される。また、「Ｂ（明るい）」の方式に合致する場合は、「制御条件４（照明不要時）」が作成される。
【００５１】
なお、図４に示す例では、１つの制御条件に対して１つの制御条件の方式が対応付けて管理されているが、本実施形態による方式管理はこれに限定されず、例えば１つの制御条件に対して複数の方式が対応付けられていてもよい。
【００５２】
［２−５．制御信号生成部］
制御信号生成部１４は、状態判定部１２から出力された状態および方式管理部１５で管理されている方式に基づいて制御の条件を作成し、作成した制御の条件に従って制御対象機器および制御内容を決定する。制御内容は、制御対象機器の消費電力を抑えるための省電力制御に関するものである。ここで、制御信号生成部１４が決定する制御内容の一例を図５に示す。図５に示すように、制御信号生成部１４は、作成した制御条件に応じて制御対象機器および制御内容を決定する。
【００５３】
例えば、制御信号生成部１４は、制御条件１（短時間離席時）の場合はＰＣ３０に対するスタンバイ（待機モード）の制御、制御条件２（長時間離席時）の場合はＰＣ３０に対する休止の制御に決定する。
【００５４】
また、制御信号生成部１４は、制御条件３（離席時）の場合はＴＶ３２に対するＯＦＦ（休止）の制御、制御条件４（照明不要時）の場合は卓上スタンドに対するＯＦＦ（休止）の制御に決定する。
【００５５】
なお、図５に示すような制御条件、制御対象機器および制御内容との関連付けは、予め制御信号生成部１４に設定されていてもよい。
【００５６】
また、制御信号生成部１４は、決定した制御対象機器に対する制御内容を示す制御信号を生成し、制御信号出力部１６に出力する。
【００５７】
［２−６．制御信号出力部］
制御信号出力部１６は、制御信号生成部１４から出力された制御信号を制御対象機器へ送信する。
【００５８】
以上、本実施形態による制御装置１０の構成について詳細に説明した。続いて、本実施形態による制御装置１０の動作処理について図６を参照して具体的に説明する。
【００５９】
＜３．動作処理＞
図６は、本実施形態による制御装置１０の動作処理を示すフローチャートである。図６に示すように、まず、ステップＳ１００において、センサ情報入力部１１は、複数のセンサの各々からセンサ情報（入力信号）を受信し、状態判定部１２にセンサ情報を入力する。
【００６０】
次に、ステップＳ１０３において、状態判定部１２は、センサ情報入力部１１から入力されたセンサ情報（入力信号）および状態管理部１３に管理されている状態の定義に基づいて、状態を判定する。
【００６１】
次いで、ステップＳ１０６において、制御信号生成部１４は、状態判定部１２により判定された状態と、方式管理部１５に管理されている制御条件の方式に基づいて、制御条件を作成する。
【００６２】
次に、ステップＳ１０９において、制御信号生成部１４は、作成した制御条件に対応する制御を決定する。具体的には、制御信号生成部１４は、制御対象機器に対する制御内容を決定する。また、制御信号生成部１４は、決定した制御を示す制御信号を生成する。
【００６３】
次いで、ステップＳ１１２において、制御信号出力部１６は、制御信号生成部１４により生成された制御信号を、御対象機器に出力する。
【００６４】
以上、本実施形態による制御装置１の制御処理について説明した。続いて、上記制御処理について、複数の具体例を挙げて詳細に説明する。
【００６５】
［３−１．制御例１］
例えば、上記Ｓ１０３において、状態判定部１２が、センサ情報入力部１１から入力されたセンサ情報に基づいて、図３に示す状態定義を参照し、「人がいる（ｎｏｔ  Ａ）」状態でかつ「明るい（Ｂ）」状態であると判定した場合について説明する。
【００６６】
この場合、制御信号生成部１４は、判定された状態「人がいる状態でかつ明るい状態」が、図４に示す制御条件の方式のうち、「Ｂ（ｎｏｔ  Ａ  ａｎｄ  Ｂ）」に合致するので、当該方式に基づいて「制御条件４（照明不要時）」を作成する（Ｓ１０６）。
【００６７】
また、制御信号生成部１４は、作成した制御条件４に基づいて、図５に示すように、対応する制御を「卓上スタンド：ＯＦＦ」に決定し、制御信号を生成する（Ｓ１０９）。
【００６８】
そして、制御信号出力部１６は、制御信号生成部１４により生成された制御信号を、卓上スタンド３４に送信する（Ｓ１１２）。
【００６９】
［３−２．制御例２］
上記Ｓ１０３において、状態判定部１２が、センサ情報入力部１１から入力されたセンサ情報に基づいて、図３に示す状態定義を参照し、「人がいる（ｎｏｔ  Ａ）」状態でかつ「暗い（ｎｏｔ  Ｂ）」状態であると判定した場合について説明する。
【００７０】
この場合、制御信号生成部１４は、判定された状態「人がいる状態でかつ暗い状態」の方式「ｎｏｔ  Ａ  ａｎｄ  ｎｏｔ  Ｂ」は、図４に示す制御条件の方式には合致しないので（Ｓ１０６）、制御を「ＮＵＬＬ」に決定し、制御信号を生成する（Ｓ１０９）。
【００７１】
そして、制御信号出力部１６は、制御信号生成部１４により生成された制御信号（ＮＵＬＬ）を外部機器に出力する（Ｓ１１２）。
【００７２】
［３−３．制御例３］
上記Ｓ１０３において、状態判定部１２が、センサ情報入力部１１から入力されたセンサ情報に基づいて、図３に示す状態定義を参照し、「人がいない（Ａ）」状態でかつ「暗い（ｎｏｔ  Ｂ）」状態であると判定した場合について説明する。
【００７３】
この場合、制御信号生成部１４は、判定された状態「人がいない状態でかつ暗い状態」が、図４に示す制御条件の方式のうち、「Ａ  ａｎｄ  ｎｏｔ  Ｂ」および「Ａ」に合致する。よって、制御信号生成部１４は、当該合致する方式に基づいて、「制御条件２」および「制御条件３」を作成する（Ｓ１０６）。
【００７４】
また、制御信号生成部１４は、作成した制御条件２、３に基づいて、図５に示すように、対応する制御を「ＰＣ：休止」および「卓上スタンド：ＯＦＦ」に決定し、制御信号を生成する（Ｓ１０９）。
【００７５】
そして、制御信号出力部１６は、制御信号生成部１４により生成された制御信号を、ＰＣ３０、および卓上スタンド３４に各々送信する（Ｓ１１２）。
【００７６】
以上、本実施形態による制御処理について、制御例１〜３を挙げて具体的に説明した。なお、上述した制御処理では、入力されるセンサ情報に変化がある度に制御信号を出力（送信）するが、本実施形態による制御処理はこれに限定されず、外部機器への制御が必要な場合のみに制御信号を出力するようにしてもよい。
【００７７】
また、本実施形態による制御装置１０は、外部機器の現状（現在の制御状態）を取得し、取得した外部機器の現状に応じて制御信号の出力を制御してもよい。具体的には、制御装置１０は、制御信号生成部１４により決定された制御（必要な制御）が、制御対象の外部機器の状態と異なる場合に制御信号を出力してもよい。
【００７８】
例えば、制御信号生成部１４が決定した制御が「ＰＣ：休止」であって、制御対象のＰＣ３０の現在の制御状態も同じ「休止」の場合、制御装置１０は制御信号を出力しない。しかし、制御信号生成部１４が決定した制御が「ＰＣ：休止」であって、制御対象のＰＣ３０の現在の制御状態が「休止」以外の状態の場合、決定した制御はＰＣ３０の状態と異なるので、制御装置１０は制御信号を出力する。
【００７９】
また、本実施形態による制御装置１０は、各センサからのセンサ情報に加えて、外部機器の現状（現在の制御状態）も利用して状態を判定し、対応する制御を決定してもよい。
【００８０】
＜５．まとめ＞
以上説明したように、本実施形態による制御システムによれば、各センサからの入力信号（検知結果）に基づいて状態を判定し、判定した状態に合致する制御方式に関連付けられる制御を行う。
【００８１】
このように、本実施形態による制御システムでは、センサからの検知結果（センサ値）と制御を切り離して設定することによって、センサの種類や性能の変更に影響されずに制御を決定することができる。
【００８２】
また、一つの状態に対して複数の定義を設けることで、センサを変更しても状態の定義を変更する必要がない。
【００８３】
また、本実施形態による制御システムでは、図５を参照して説明したように、制御条件に基づいて制御を決定しているので、制御の方式を変更しても、制御条件と制御の対応付けを変更する必要がない。
【００８４】
また、本実施形態による制御システムでは、図５に示すように、複数の外部機器の制御を制御信号生成部１４により決定するので、外部機器間で調整して制御を決定することも可能である。これにより、機器の利便性が向上し、また、省エネルギーに貢献することもできる。
【００８５】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８６】
例えば、上述した実施形態では、制御信号出力部１６が制御信号を制御対象機器に送信する場合について説明したが、本実施形態による送信先は制御対象機器に限定されず、例えば、制御対象機器を制御する装置に送信してもよい。
【００８７】
また、図２に示す制御装置１０の各機能ブロックの処理を、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などのハードウェアで実現することができる。
【００８８】
また、これらハードウェアを、上述した制御装置１０の各機能ブロックと同等の機能を発揮させるためのコンピュータプログラムも作成可能である。さらに、該コンピュータプログラムを記憶させた記憶媒体も提供される。記録媒体とは、例えば、磁気ディスク、光ディスク、光磁気ディスクおよびフラッシュメモリなどである。また、上記のコンピュータプログラムは、記録媒体を用いずに、例えばネットワークを介して配信してもよい。
【符号の説明】
【００８９】
１０    制御装置
１１    センサ情報入力部
１２    状態判定部
１３    状態管理部
１４    制御信号生成部
１５    方式管理部
１６    制御信号出力部
２０    人感センサ
２２    照度センサ
２４    温度センサ
３０    パーソナルコンピュータ
３２    テレビジョン（ＴＶ）
３４    卓上スタンド
【図１】
0006019600.tif 000002
【図２】
0006019600.tif 000003
【図３】
0006019600.tif 000004
【図４】
0006019600.tif 000005
【図５】
0006019600.tif 000006
【図６】
0006019600.tif 000007